(57)【要約】【課題】本発明は、三脚と電源とを容易に持ち運び可能な三脚を提供する。【解決手段】本発明の三脚１０によれば、三脚１０のエレベータ部２２に電源である電池６０を収納したので、電池６０を三脚１０とは別個に持ち運ぶ必要がなく、よって、三脚１０と電池６０とを容易に持ち運ぶことができる。また、電池専用の持ち運びスペースも不要になるので、省スペースで持ち運びできる。更に、エレベータ部２２がパイプ状であることを利用して、電源として電池６０を採択し、電池６０をエレベータ部２２の筒内にその軸方向に沿って収納したので、電源をエレベータ部２２に有効に配置できる。【選択図】      図１
2006138455.tif 000002
【特許請求の範囲】
【請求項１】
上部で連結され三脚を構成する複数の脚部と、
前記複数の脚部の連結部に昇降自在に設けられたエレベータ部と、
前記エレベータ部に内蔵された電源と、
からなることを特徴とする三脚。
【請求項２】
前記電源は電池であり、該電池は、筒状に形成された前記エレベータ部の軸方向に沿って収納されていることを特徴とする請求項１に記載の三脚。
【請求項３】
前記三脚の機器取付台には電源端子が設けられ、該電源端子は導通部材を介して前記電源に導通されていることを特徴とする請求項１又は２に記載の三脚。
【請求項４】
前記電源端子は、前記機器取付台に設けられた機器取付部材を中心とするリング状に形成されていることを特徴とする請求項３に記載の三脚。
【請求項５】
前記三脚には電源コネクタが設けられ、該電源コネクタはケーブルを介して前記電源に導通されていることを特徴とする請求項１又は２に記載の三脚。
【請求項６】
前記三脚の機器取付部には磁束発生部が設けられ、該磁束発生部は導通部材を介して前記電源に導通されていることを特徴とする請求項１又は２に記載の三脚。
【発明の詳細な説明】
【技術分野】
【０００１】
本発明は三脚に係り、特にカメラ等の機器が取り付けられる機器取付台がエレベータによって昇降自在に構成された三脚に関する。
【背景技術】
【０００２】
カメラを携帯する場合には、カメラに装填された電池のいわゆる電池切れを考慮して、カメラマンは通常予備の電池を携帯し、電池切れの場合にその予備の電池と交換する。
【０００３】
ところで、カメラやテレビカメラを三脚の機器取付台に搭載し外部電源を用いて使用する場合には、例えば特許文献１に記載された雲台装置付三脚の如く、雲台装置のコネクタにケーブルを介して操作装置を接続し、この操作装置から雲台装置やカメラに電力を供給するようにしている。
【特許文献１】特開平６−１２３３９５号公報
【発明の開示】
【発明が解決しようとする課題】
【０００４】
しかしながら、特許文献１の三脚は、カメラに給電する電源が三脚とは別個に設けられた外付けの電源であるため、三脚を持ち運ぶ際に電源を別個に持ち運ばなければならず、持ち運びが非常に面倒であるという問題があった。
【０００５】
本発明は、このような事情に鑑みてなされたもので、三脚と電源とを容易に持ち運び可能な三脚を提供することを目的としている。
【課題を解決するための手段】
【０００６】
本発明は、前記目的を達成するために、上部で連結され三脚を構成する複数の脚部と、前記複数の脚部の連結部に昇降自在に設けられたエレベータ部と、前記エレベータ部に内蔵された電源と、からなることを特徴としている。
【０００７】
請求項１に記載の三脚は、三脚のエレベータ部に電源が内蔵されているので、電源を三脚とは別個に持ち運ぶ必要がなく、よって、三脚と電源とを容易に持ち運ぶことができ、また、電源専用の持ち運びスペースも不要になるので、省スペースで持ち運びできる。
【０００８】
請求項２に記載の発明は、請求項１に記載の発明において、前記電源は電池であり、該電池は、筒状に形成された前記エレベータ部の軸方向に沿って収納されていることを特徴としている。
【０００９】
請求項２に記載の三脚は、エレベータ部が筒状に形成されている見地に基づき、電源として電池を採用し、この電池をエレベータ部の筒内にその軸方向に沿って収納した。これにより、電源をエレベータ部に有効に配置できる。
【００１０】
請求項３に記載の発明は、請求項１又は２に記載の発明において、前記三脚の機器取付台には電源端子が設けられ、該電源端子は導通部材を介して前記電源に導通されていることを特徴としている。
【００１１】
請求項３に記載の三脚は、三脚の機器取付台に電源端子を設けたので、機器取付台に取り付けられる機器側と電源端子とを電気的に接続することにより、電源の電力をカメラに供給することができる。
【００１２】
請求項４に記載の発明は、請求項３に記載の発明において、前記電源端子は、前記機器取付台に設けられた機器取付部材を中心とするリング状に形成されていることを特徴としている。
【００１３】
請求項４に記載の三脚の機器取付台に取り付けられるカメラは、カメラの底面に、機器取付部材である例えばねじが螺合されるねじ孔が形成されるとともに、そのねじ孔を中心とした円周上であって、リング状の電源端子と同径の円周上に接点が形成されている。したがって、機器取付台に対しカメラをどのような位置に取り付けても、接点は電源端子に接触される。よって、機器取付台に対してカメラを所望の位置で位置決めすることができる。
【００１４】
請求項５に記載の発明は、請求項１又は２に記載の発明において、前記三脚には電源コネクタが設けられ、該電源コネクタはケーブルを介して前記電源に導通されていることを特徴としている。
【００１５】
請求項５に記載の三脚の機器取付台に取り付けられるカメラは、ＤＣ又はＡＣの電源入力端子を有している。したがって、カメラの電源入力端子に三脚の電源コネクタを接続することにより、電源の電力をカメラに供給することができる。
【００１６】
請求項６に記載の発明は、請求項１又は２に記載の発明において、前記三脚の機器取付部には磁束発生部が設けられ、該磁束発生部は導通部材を介して前記電源に導通されていることを特徴としている。
【００１７】
請求項６に記載の三脚の機器取付台に取り付けられるカメラは、前記磁束発生部に対し非接触で電磁結合し、且つ磁束発生部の磁束が鎖交することによる電磁誘導により電圧を誘起するコイルが設けられている。したがって、機器取付台に取り付けられたカメラは、コイルで誘起された前記電圧を駆動源として駆動される。
【発明の効果】
【００１８】
以上説明したように本発明に係る三脚によれば、三脚のエレベータ部に電源が内蔵されているので、電源を三脚とは別個に持ち運ぶ必要がなく、よって、三脚と電源とを容易に持ち運ぶことができ、また、電源専用の持ち運びスペースも不要になるので、省スペースで持ち運びできる。
【発明を実施するための最良の形態】
【００１９】
以下添付図面に従って本発明に係る三脚の好ましい実施の形態について詳説する。
【００２０】
図１は、第１の実施の形態の三脚１０を示した斜視図である。同図に示す三脚１０は、ドーナツ形状に形成された本体部１２の外周部に、３本の脚部１４、１４、１４がぞれぞれピン１６を介して開閉脚自在に連結されて構成されている。また、脚部１４の下部には石突１８が設けられている。
【００２１】
本体部１２の中央に形成された貫通孔２０には、貫通孔２０に沿って昇降移動されるエレベータ部２２が配置されている。このエレベータ部２２の上端部には円盤状に形成されたカメラ取付台（機器取付台）２４が固定されており、このカメラ取付台２４にカメラ２６が着脱自在に固定される。また、エレベータ部２２は、全体がパイプ状に形成されるとともに、その外周面にはラック２８がエレベータ部２２の軸方向に沿って形成されている。このラック２８に噛合されるピニオン（不図示）は、本体部１２内に回動自在に設けられ、このピニオンを手動で回動させるハンドル３０が本体部１２の外周部に回動自在に設けられている。したがって、エレベータ部２２を上昇させる方向にハンドル３０を回動させると、ラック２８とピニオンとによる送り作用によってエレベータ部２２が図２の如く貫通孔２０に沿って上昇する。これにより、エレベータ部２２のカメラ取付台２４に固定されたカメラ２６が、三脚１０の本体部１２に対して上昇し、所望の高さに位置調整される。
【００２２】
図１に示したカメラ２６は、被写体像を撮影レンズを介して固体撮像素子に結像し、被写体像を電子データとして取得するデジタルカメラであり、符号３２はカメラ本体、符号３４はレンズ鏡胴、符号３６はフォーカスリング、符号３８は電子ビューファインダ、符号４０はスピーカ、符号４２はポップアップ式ストロボ、符号４４はストロボのポップアップボタンである。また、符号４６は撮影レンズ、符号４８はシャッターボタン、符号５０は撮影モード選択ダイヤル、符号５２はコマンドダイヤルである。更に、符号５４は、カメラ本体３２の側面に設けられたＤＣ電源入力端子である。
【００２３】
ところで、エレベータ部２２の内部には、図１の如く電池６０、６０…がエレベータ部２２の軸方向に沿って５個収納されている。これらの電池６０、６０…は、充電式のニッケル水素電池であり、図３の如く＋極を上方に向けて直列に収納され、その最上部に位置する電池６０の＋極に板ばね状の接片６２が押圧接触されるとともに、その最下部に位置する電池６０の−極にコイル状の接片６４が押圧接触されている。なお、電池６０は、充電式に限定されるものではなく、例えばアルカリ乾電池でもよい。
【００２４】
接片６２は、カメラ取付台２４の凹部に埋設されたゴム、セラミック等の絶縁部材６６に貫通して配置され、その絶縁部材６６の表面に固着された図１のリング状＋端子（電源端子）６８に接合されている。一方、接片６４は図３の如く、エレベータ部２２の下部開口部を閉塞するキャップ７０の底部に固着されるとともに、エレベータ部２２の軸方向に沿って配設された導電板７２の下部に接合されている。導電板７２の上部は、絶縁部材６６に貫通して配置され、その絶縁部材６６の表面に固着された図１のリング状−端子（電源端子）７４に接合されている。絶縁部材６６の表面中央には、カメラ２６をカメラ取付台２４に固定するためのねじ（機器取付部材）７６が植設されている。このねじ７６を中心として、内側に＋端子６８、外側に−端子７４が配置されている。
【００２５】
ところで、カメラ取付台２４に固定されるカメラ２６は図４の如く、その底面２６Ａにねじ孔７８が形成されている。ねじ孔７８は、三脚１０のねじ７６が螺合するねじ孔であり、底面２６Ａに形成された矩形状の凹部８０の中央に形成されている。凹部８０には、ねじ孔７８を中心とする同心円上に二つの＋接点８２、８２が対称位置に配置され、また、＋接点８２、８２の外側には、ねじ孔７８を中心とする同心円上に二つの−接点８４、８４が対称位置に配置されている。
【００２６】
＋接点８２、８２は、図１に示したリング状の＋端子６８と同径の円周上に配置されるとともに、凹部８０に対して弾性をもって突没自在に設けられている。同様に、図４の−接点８４、８４は、図１に示したリング状の−端子７４と同径の円周上に配置されるとともに、凹部８０に対して弾性をもって突没自在に設けられている。
【００２７】
したがって、カメラ２６をねじ７６及びねじ孔７８を利用して図３の如くカメラ取付台２４に固定すると、＋接点８２、８２が＋端子６８に弾性をもって接触し、−接点８４、８４が−端子７４に弾性をもって接触する。これにより、電池６０、６０…の電力がカメラ２６側に供給される。また、＋端子６８及び−端子７４はリング状に形成されているので、カメラ２６がカメラ取付台２４に対してどの回転位置に固定されても導通状態が維持される。よって、カメラ取付台２４に対するカメラ２６の取り付け位置の自由度が広がる。
【００２８】
一方、図４の如くカメラ２６の凹部８０には、カメラ単体で使用する際に接点８２、８４を保護するプレート８６が嵌着される。なお、プレート８６にボタン電池を内蔵させて、プレート８６の嵌着時にボタン電池の電力を接点８２、８４を介してカメラ２６に供給するようにしてもよい。
【００２９】
このように構成された実施の形態の三脚１０によれば、三脚１０のエレベータ部２２に電源である電池６０を収納したので、電池６０を三脚１０とは別個に持ち運ぶ必要がなく、よって、三脚１０と電池６０とを容易に持ち運ぶことができる。また、電池専用の持ち運びスペースも不要になるので、省スペースで持ち運びできる。
【００３０】
更に、エレベータ部２２がパイプ状であることを利用して、電源として電池６０を採択し、電池６０、６０…をエレベータ部２２の筒内にその軸方向に沿って収納したので、電源をエレベータ部２２に有効に配置できる。
【００３１】
図５は、第２の実施の形態の三脚１００を示した全体斜視図であり、図１に示した三脚１０と同一若しくは類似の部材については同一の符号を付し、その説明は省略する。
【００３２】
図５に示す三脚１００は、リング状の電源端子６８、７４に代えて電源コネクタ１０２を設けたものである。この電源コネクタ１０２は、図６の如くケーブル１０４を介して接片６２及び導電板７２に接合され、使用時にはカメラ２６のＤＣ電源入力端子５４に接続される。これにより、電池６０、６０…の電力がカメラ２６に供給される。また、ケーブル１０４は、本体部１２の上面に形成された逃げ溝１３に配線され、図５の如くエレベータ部２２が最下位置にある時にケーブル１０４が本体部１２の上面から突出しないようになっている。これにより、ケーブル１０４が邪魔になることなくカメラ２６をカメラ取付台２４に固定することができる。更にまた、このケーブル１０４は、不使用時には脚部１４に形成された溝１０６に収納され、ケーブル１０４の損傷を防止している。なお、溝１０６の形成箇所は、脚部１４に限定されるものではなく、本体部１２の周囲に螺旋状に形成してもよく、また、エレベータ部２２の周面に形成してもよい。
【００３３】
第１及び第２の実施の形態の三脚１０、１００は、三脚１０側とカメラ２６側とを接触させて電池６０の電力をカメラ２６に供給する例を説明したが、電池６０の電力を非接触でカメラ２６に供給してもよい。
【００３４】
図７は、電磁誘導を利用して電池６０の電力をカメラ２６に非接触で供給する回路図が示されている。同図によれば、三脚の機器取付部に一次コイル１１０からなる磁束発生部１１２が設けられ、磁束発生部１１２は導通部材１１４を介して電池６０、６０…に導通されている。また、カメラには二次コイル１１６が設けられ、この二次コイル１１６は、磁束発生部１１２に対し非接触で電磁結合し、且つ磁束発生部１１２の磁束が鎖交することによる電磁誘導により電圧を誘起する。したがって、機器取付台に取り付けられたカメラは、二次コイル１１６で誘起された前記電圧を駆動源として駆動される。
【００３５】
実施の形態では、カメラ用の三脚１０、１００について説明したが、これに限定されるものではなく、機器取付台に取り付けられる機器が電力を要するものである三脚であれば本発明の三脚を適用できる。
【００３６】
また、カメラ取付台２４に雲台を搭載した三脚の場合には、雲台のカメラ取付台をカメラ取付台２４と同様の構成とし、雲台側の電源端子と電池６０とを導通部材を介して導通させることで利用できる。
【図面の簡単な説明】
【００３７】
【図１】第１の実施の形態の三脚を示した全体斜視図
【図２】エレベータ部が上昇されている状態を示した三脚の全体斜視図
【図３】三脚のカメラ取付台にカメラが取り付けられた状態を示した一部断面図
【図４】三脚に取り付けられるカメラを底面側から見た斜視図
【図５】第２の実施の形態の三脚を示した全体斜視図
【図６】図５に示した三脚のエレベータ部の断面図
【図７】電磁誘導により非接触でカメラに給電する例を示した回路図
【符号の説明】
【００３８】
１０、１００…三脚、１２…本体部、１４…脚部、２２…エレベータ部、２４…カメラ取付台、２６…カメラ、５４…ＤＣ電源入力端子、６０…電池、６８…＋端子、７４…−端子、７６…ねじ、７８…ねじ孔、８２…＋接点、８４…−接点、８６…プレート、１０２…電源コネクタ、１０４…ケーブル、１０６…溝、１１０…一次コイル、１１２…磁束発生部、１１４…導通部材、１１６…二次コイル
【図１】
2006138455.tif 000003
【図２】
2006138455.tif 000004
【図３】
2006138455.tif 000005
【図４】
2006138455.tif 000006
【図５】
2006138455.tif 000007
【図６】
2006138455.tif 000008
【図７】
2006138455.tif 000009